(57)【特許請求の範囲】
【請求項１】
本体の側面に設けた吸込口と、本体の天面に設けた吹出口と、前記吸込口と前記吹出口に連通する空気清浄フィルタを備えた空気清浄風路と、この空気清浄風路とは別風路で、かつ前記吸込口と前記吹出口に連通する加湿フィルタを備えた加湿風路と、前記空気清浄風路と前記加湿風路を接続するバイパス風路と、前記空気清浄風路、前記加湿風路および前記バイパス風路に送風する両吸込送風機を有し、この両吸込送風機は吸気側に第１吸気口と第２吸気口を備えるとともに吐出側に上吐出口と下吐出口を備え、前記空気清浄風路は前記吸込口から前記空気清浄フィルタ、前記両吸込送風機の前記第１吸気口、前記上吐出口および前記吹出口の順に通過する風路となし、前記加湿風路は前記吸込口から前記空気清浄フィルタ、前記加湿フィルタ、前記両吸込送風機の前記第２の吸気口、前記上吐出口および前記吹出口の順に通過する風路となし、前記バイパス風路は前記両吸込送風機の前記下吐出口から前記加湿風路の前記加湿フィルタの上流側に接続してなり、前記加湿フィルタの上流側に沿うように逆流防止板を前記バイパス風路と一体に形成し、前記バイパス風路を通る気流は、前記逆流防止板により前記加湿フィルタの表面に沿うように案内されて、最終的に加湿風路と合流して加湿フィルタを通過する方向に流れることを特徴とする空気調和装置。
【請求項２】
両吸込送風機に設けた上吐出口と下吐出口を、送風ファンの中心に対して略対称位置に配置するとともに、加湿フィルタに面する下吐出口の開口面を略水平に設けた請求項１記載の空気調和装置。
【請求項３】
バイパス風路の下吐出口に風量調整ダンパーを設け、加湿風路への通風量を調整可能とした請求項１または２記載の空気調和装置。
【請求項４】
逆流防止板の先端部を延設して、加湿フィルタの表面に近接させてなる請求項３記載の空気調和装置。
【請求項５】
加湿フィルタは円筒形状のフィルタ部と、このフィルタ部の内側で水平軸を中心に回転可能に支持するフィルタ枠と、このフィルタ枠の両端に設けた円板部を有し、この円板部の直径を前記フィルタ部の円筒外径より寸法大とするとともに、前記円板部の周縁には内側に突出するリーク防止リブを形成してなる請求項１〜４いずれかに記載の空気調和装置。
【請求項６】
下吐出口に設けた風量調整ダンパーは、前記下吐出口を横断して回動可能に設けた水平軸と、この水平軸を回動する小型モータと、この水平軸に固定された平板部からなり、前記小型モータは前記平板部を水平方向に回動して保持することにより前記下吐出口を閉鎖するとともに、前記平板部を垂直方向に回動して保持することにより前記下吐出口を開放してなる請求項３記載の空気調和装置。
【請求項７】
バイパス風路の壁面に風量調整ダンパーの平板部を収納するダンパー収納部を設け、前記平板部を垂直状態にして前記ダンパー収納部に収納するとき、前記ダンパー収納部に設けた段部に前記平板部の一端が当接してなる請求項６記載の空気調和装置。
【請求項８】
風量調整ダンパーの平板部の一端に設けた折曲リブと、他端に設けた当接端部と、ダンパー収納部に設けた段部を有し、前記平板部を水平方向に保持するときは前記折曲リブを前記ダンパー収納部の段部に当接し、前記平板部を垂直方向に保持するときは前記当接端部を前記ダンパー収納部の段部に当接してなる請求項７記載の空気調和装置。
【請求項９】
加湿フィルタの上流側と下流側を仕切る仕切板に補助開口部を設け、この補助開口部を通過する補助空気清浄風路を設け、この補助空気清浄風路は吸込口から空気清浄フィルタ、
前記補助開口部、両吸込送風機の第２の吸気口、上吐出口および吹出口の順に通過する風路となし、空気清浄運転時のみ使用可能とした請求項１記載の空気調和装置。
【請求項１０】
空気清浄運転時には補助開口部を開放し、加湿運転時には前記補助開口部を閉鎖する補助ダンパーを設けてなる請求項９記載の空気調和装置。
【請求項１１】
風量調整ダンパーの平板部を回動可能に付設した水平軸に、補助ダンパーに設けた補助平板部を、併設してなる請求項１０記載の空気調和装置。
【発明の詳細な説明】
【技術分野】
【０００１】
本発明は、空気を浄化しながら加湿することのできる空気調和装置に関する。
【背景技術】
【０００２】
従来、この種の空気調和装置として、上流側に空気清浄部を設け、下流側に加湿部を設けた加湿機能付空気清浄機が知られている（例えば、特許文献１参照）。
【０００３】
以下、その加湿機能付空気清浄機について図９および図１０を参照しながら説明する。
【０００４】
図に示すように、吸気口１０１と排気口１０２を設けた本体ケース１０３内の空気流路１０４にフィルター１０５と、フィルター１０５の下流側に配置される送風手段１０６と、本体ケース１０３の下方に配置され、フィルター１０５により浄化された空気流路１０４の空気の一部が選択的に取り込まれる加湿流路１０７と、加湿流路１０７に配置された加湿手段１０８と、加湿された空気を外部に吹出す吹出口１０９を設け、送風手段１０６のケーシング１１０の一部は案内板１１１により形成され、案内板１１１はリンク１１２を介して閉鎖する位置または開放する位置との間を移動し、加湿流路１０７を開閉するように構成されている。
【特許文献１】特開２００５−６１６５５号公報
【発明の開示】
【発明が解決しようとする課題】
【０００５】
このような従来の空気調和装置では、ケーシング１１０の一部を開放して形成された加湿流路１０７に加湿手段１０８が配置されているので、空気清浄部のフィルター１０５に圧損負荷のかかる送風手段１０６のケーシング１１０の一部により加湿流路１０７が設けられることなり、所定の送風量が得られないため加湿量が少なく、室内を適正な湿度に維持できないという課題がある。
【０００６】
また、ケーシング１１０の一部を形成する案内板１１１を、リンク１１２を介して閉鎖または開放しているが、空気清浄運転と加湿運転を切り替える場合に、気流の風向変化の少ない風路を形成するとともに、本体ケース１０３内の密閉度を確保しなければエアリークが生じやすくなり、空気清浄効率および加湿効率が低下するという課題がある。
【０００７】
本発明は、このような従来の課題を解決するものであり、空気清浄機能をオールシーズン利用できるとともに、冬季の乾燥シーズンにおいて大容量の加湿機能を発揮できる構成とすることにより、適正湿度を維持することができ、また空気清浄運転と加湿運転を切り替えて運転する場合に、気流の風向変更の度合いが少なく、空気抵抗の少ない風路を形成することにより、エアリークが生じないようにして、空気清浄効率および加湿効率を高く保つことのできる空気調和装置を提供することを目的とする。
【課題を解決するための手段】
【０００８】
本発明の空気調和装置は、上記目的を達成するために、本体の側面に設けた吸込口と、本体の天面に設けた吹出口と、前記吸込口と前記吹出口に連通する空気清浄フィルタを備えた空気清浄風路と、この空気清浄風路とは別風路で、かつ前記吸込口と前記吹出口に連通する加湿フィルタを備えた加湿風路と、前記空気清浄風路と前記加湿風路を接続するバイパス風路と、前記空気清浄風路、前記加湿風路および前記バイパス風路に送風する両吸込送風機を有し、この両吸込送風機は吸気側に第１吸気口と第２吸気口を備えるとともに吐出側に上吐出口と下吐出口を備え、前記空気清浄風路は前記吸込口から前記空気清浄フィルタ、前記両吸込送風機の前記第１吸気口、前記上吐出口および前記吹出口の順に通過する風路となし、前記加湿風路は前記吸込口から前記空気清浄フィルタ、前記加湿フィルタ、前記両吸込送風機の前記第２の吸気口、前記上吐出口および前記吹出口の順に通過する風路となし、前記バイパス風路は前記両吸込送風機の前記下吐出口から前記加湿風路の前記加湿フィルタの上流側に接続してなり、前記加湿フィルタの上流側に沿うように逆流防止板を前記バイパス風路と一体に形成し、前記バイパス風路を通る気流は、前記逆流防止板により前記加湿フィルタの表面に沿うように案内されて、最終的に加湿風路と合流して加湿フィルタを通過する方向に流れることを特徴としたものである。
【０００９】
また、他の手段は、両吸込送風機に設けた上吐出口と下吐出口を、送風ファンの中心に対して略対象位置に配置するとともに、加湿フィルタに面する下吐出口の開口面を略水平に設けたものである。
【００１０】
また、他の手段は、バイパス風路の下吐出口に風量調整ダンパーを設け、加湿風路への通風量を調整可能としたものである。
【００１２】
また、他の手段は、逆流防止板の先端部を延設して、加湿フィルタの表面に近接させてなるものである。
【００１３】
また、他の手段は、加湿フィルタは円筒形状のフィルタ部と、このフィルタ部の内側で水平軸を中心に回転可能に支持するフィルタ枠と、このフィルタ枠の両端に設けた円板部を有し、この円板部の直径を前記フィルタ部の円筒外径より寸法大とするとともに、前記円板部の周縁には内側に突出するリーク防止リブを形成してなるものである。
【００１４】
また、他の手段は、下吐出口に設けた風量調整ダンパーは、前記下吐出口を横断して回動可能に設けた水平軸と、この水平軸を回動する小型モータと、この水平軸に固定された平板部からなり、前記小型モータは前記平板部を水平方向に回動して保持することにより前記下吐出口を閉鎖するとともに、前記平板部を垂直方向に回動して保持することにより前記下吐出口を開放してなるものである。
【００１５】
また、他の手段は、バイパス風路の壁面に風量調整ダンパーの平板部を収納するダンパー収納部を設け、前記平板部を垂直状態にして前記ダンパー収納部に収納するとき、前記ダンパー収納部に設けた段部に前記平板部の一端が当接してなるものである。
【００１６】
また、他の手段は、風量調整ダンパーの平板部の一端に設けた折曲リブと、他端に設けた当接端部と、ダンパー収納部に設けた段部を有し、前記平板部を水平方向に保持するときは前記折曲リブを前記ダンパー収納部の段部に当接し、前記平板部を垂直方向に保持するときは前記当接端部を前記ダンパー収納部の段部に当接してなるものである。
【００１７】
また、他の手段は、加湿フィルタの上流側と下流側を仕切る仕切板に補助開口部を設け、この補助開口部を通過する補助空気清浄風路を設け、この補助空気清浄風路は吸込口から空気清浄フィルタ、前記補助開口部、両吸込送風機の第２の吸気口、上吐出口および吹出口の順に通過する風路となし、空気清浄運転時のみ使用可能としたものである。
【００１８】
また、他の手段は、空気清浄運転時には補助開口部を開放し、加湿運転時には前記補助開口部を閉鎖する補助ダンパーを設けてなるものである。
【００１９】
また、他の手段は、風量調整ダンパーの平板部を回動可能に付設した水平軸に、補助ダンパーに設けた補助平板部を、併設してなるものである。
【００２０】
これにより、空気清浄機能をオールシーズン利用できるとともに、冬季の乾燥シーズンにおいて大容量の加湿機能を発揮できる構成とすることにより、適正湿度を維持することができ、また空気清浄運転と加湿運転を切り替えて運転する場合に、気流の風向変更の度合いが少なく、空気抵抗の少ない風路を形成することにより、エアリークが生じないようにして、空気清浄効率および加湿効率を高く保つことのできる空気調和装置が得られる。
【発明の効果】
【００２１】
本発明によれば、加湿運転を行うときは、空気清浄風路と加湿風路の両方に分かれて通風されるが、加湿風路の方が通風抵抗が大きいため、両吸込送風機の下吐出口から加湿風路の加湿フィルタの上流側にバイパス風路を接続することにより、バイパス風路を介して空気清浄風路の風量を加湿風路に一部供給することができ、加湿用の送風量を確保して大容量の加湿運転を行なうことができ、バイパス風路を通る気流は、逆流防止板により加湿フィルタの表面に沿うように案内されて、逆流することなく加湿風路と合流して加湿フィルタを通過する方向に流れることになり、逆流防止板によりバイパス風路の逆流を防いで、加湿フィルタに確実に進入することができるという効果のある空気調和装置を提供することができる。
【００２２】
また、両吸込送風機に設けた上吐出口と下吐出口を略対象位置に設けることにより、上吐出口および下吐出口からの送風による反作用を相殺し、気流の乱れの少ない安定した運転ができるとともに、さらに下吐出口からの吹き出し気流が、加湿フィルタの表面全体に満遍なく吹き付けられるので、加湿効率を向上させることができる。
【００２３】
また、バイパス風路に配置した風量調整ダンパーの開閉操作により、加湿機能を利用しない大風量での空気清浄運転と、加湿風量を充分に確保できる加湿機能を主体とした空気清浄運転とを使い分けることができる。
【００２５】
また、加湿フィルタに近接して逆流防止板があるため、バイパス風路を通る気流の拡散を防いで加湿フィルタ直前まで案内し、さらにバイパス風路を通る加圧された気流と加湿フィルタを通過した加湿風路の吸引される気流とが、途中で混合しないようにして乱流の発生を防ぎ、それぞれ加湿フィルタにスムーズに進入させることができる。        
【００２６】
また、フィルタ部の円筒外径より寸法大としたフィルタ枠の円板部の周縁にリーク防止リブを形成することにより、フィルタ部が変形しないように保持することができ、フィルタ部の端面が浮き上がらないように押さえ、さらにフィルタ部の端部からのエアリークを未然に防いで、加湿機能を長期間安定して発揮させることができる。
【００２７】
また、風量調整ダンパーの平板部を水平方向に保持したときは、送風効率を損なうことなく空気清浄運転することができ、平板部を垂直方向に保持したときは、下吐出口を全開してフィルタ部に直接的に空気流を吹き出すことができ、加湿機能を高めて加湿運転することができる。
【００２８】
また、風量調整ダンパーを垂直に回動して、ダンパー収納部に平板部を収納するとともに、ダンパー収納部の段部に平板部の一端が当接することにより、平板部がバイパス風路の壁面に連続する同一面を形成するので、下吐出口からの気流をフィルタ部に円滑に案内して、加湿機能を充分に発揮させることができる。
【００２９】
また、平板部の折曲リブまたは当接端部が、回動位置に応じてダンパー収納部の段部にそれぞれ当接して停止することにより、風量調整ダンパーの水平方向または垂直方向の位置決めを正確に行ない、平板部の寸法バラツキによる隙間を低減して、エアリークの発生を防ぐことができる。
【００３０】
また、加湿フィルタを通過せずに両吸込送風機の第２の吸気口に連通する補助空気清浄風路を設けることにより、空気清浄運転時の風量を増やすことができ、加湿機能を本体内に備えていても、適用面積の大きな本格的な空気清浄機として使用することができる。
【００３１】
また、空気清浄運転時には補助ダンパーが補助開口部を開放することにより、空気清浄風路と補助空気清浄風路を通して大量に吹き出すことができ、加湿運転時には補助ダンパーが補助開口部を閉鎖することにより、補助空気清浄風路の大部分は加湿風路に切り換わり、加湿機能を発揮することができる。
【００３２】
また、空気清浄運転時には、風量調整ダンパーの平板部が下吐出口を閉じると同時に補助ダンパーが補助開口部を開放し、加湿運転時には、平板部が下吐出口を開くと同時に補助ダンパーが補助開口部を閉鎖することにより、小型モータの回動制御により、簡単に空気清浄運転と加湿運転を切り替えることができる。
【発明を実施するための最良の形態】
【００３３】
本発明の請求項１記載の空気調和装置は、本体の側面に設けた吸込口と、本体の天面に設けた吹出口と、前記吸込口と前記吹出口に連通する空気清浄フィルタを備えた空気清浄風路と、この空気清浄風路とは別風路で、かつ前記吸込口と前記吹出口に連通する加湿フィルタを備えた加湿風路と、前記空気清浄風路と前記加湿風路を接続するバイパス風路と、前記空気清浄風路、前記加湿風路および前記バイパス風路に送風する両吸込送風機を有し、この両吸込送風機は吸気側に第１吸気口と第２吸気口を備えるとともに吐出側に上吐出口と下吐出口を備え、前記空気清浄風路は前記吸込口から前記空気清浄フィルタ、前記両吸込送風機の前記第１吸気口、前記上吐出口および前記吹出口の順に通過する風路となし、前記加湿風路は前記吸込口から前記空気清浄フィルタ、前記加湿フィルタ、前記両吸込送風機の前記第２の吸気口、前記上吐出口および前記吹出口の順に通過する風路となし、前記バイパス風路は前記両吸込送風機の前記下吐出口から前記加湿風路の前記加湿フィルタの上流側に接続してなり、前記加湿フィルタの上流側に沿うように逆流防止板を前記バイパス風路と一体に形成し、前記バイパス風路を通る気流は、前記逆流防止板により前記加湿フィルタの表面に沿うように案内されて、最終的に加湿風路と合流して加湿フィルタを通過する方向に流れることを特徴としたものであり、本体の側面に設けた吸込口より吸い込まれた空気は本体内で空気清浄風路と加湿風路に分離され、空気清浄風路を通るものは、空気清浄フィルタに浄化されたあと、両吸込型遠心送風機の第１吸気口から吸気されて上吐出口より吐出され、本体天面の吹出口より清浄空気として室内に吹き出され、また加湿風路を通るものは、空気清浄フィルタに浄化されたあと加湿フィルタを通過し、両吸込型遠心送風機の第２吸気口より吸引され、吹出口より浄化された加湿気流として室内に吹き出されるが、加湿風路には加湿フィルタの通風抵抗が大きいため、送風量は少なくなるので、空気清浄風路の両吸込送風機の下吐出口から加湿風路の加湿フィルタの上流側に接続するバイパス風路を介して、空気清浄風路の風量を加湿風路に一部供給することにより、加湿用の送風量を確保できるので大容量の加湿運転を行なうことができ、空気清浄機能と加湿機能を充分に発揮することができ、前記加湿フィルタの上流側に沿うように逆流防止板を前記バイパス風路と一体に形成し、前記バイパス風路を通る気流は、前記逆流防止板により前記加湿フィルタの表面に沿うように案内されて、最終的に加湿風路と合流して加湿フィルタを通過する方向に流れるものであり、両吸込送風機に設けた下吐出口から吐出されるバイパス風路を通る気流は、加湿フィルタの上流側に加圧されて供給されるため、加湿風路を逆流するように空気清浄フィルタから吸込口へと吹き出す可能性があるが、加湿フィルタの上流側に沿うように逆流防止板をバイパス風路から一体的に湾曲して設けることにより、前述のバイパス風路を通る気流は、逆流防止板により加湿フィルタの表面に沿うように案内されて、最終的に加湿風路と合流して加湿フィルタを通過する方向に流れることになり、逆流防止板によりバイパス風路の逆流を防いで、加湿フィルタに確実に導入することができるという作用を有する。
【００３４】
また、両吸込送風機に設けた上吐出口と下吐出口を、送風ファンの中心に対して略対象位置に配置するとともに、加湿フィルタに面する下吐出口の開口面を略水平に設けたものであり、両吸込送風機に設けた上吐出口と下吐出口を略対象位置に設けることにより、上吐出口および下吐出口から送風するときは、送風による反作用を相殺することができ、送風ファンに加わるベクトル方向の反動力の影響を少なく抑え、気流の乱れも少なくなるので騒音や振動の発生を防ぎ、安定した運転ができるとともに、加湿フィルタに面する下吐出口の開口面を略水平に設けているので、加湿フィルタまでの空間距離を一定に保つことができ、下吐出口からの吹き出し気流が、加湿フィルタの表面全体に満遍なく吹き付けられるので、加湿フィルタを通過する有効面積を大幅に確保することができ、加湿効率を向上させることができるという作用を有する。
【００３５】
また、バイパス風路の下吐出口に風量調整ダンパーを設け、加湿風路への通風量を調整可能としたものであり、バイパス風路に配置した風量調整ダンパーにより、全体の総風量と加湿量の調整が可能となるものであり、風量調整ダンパーを閉じたときは、加湿フィルタを通過する風が減少して加湿量は下がるが、内部の通風抵抗は少なくなり、吹出口から吹き出される総風量は増加するため、空気清浄機能は向上する。それに対して風量調整ダンパーを開いたときは、加湿フィルタを通過する風量が多くなり、加湿量は増加するが、内部の通風抵抗も増加するため、全体の送風量は少なくなり、全送風量に対して相対的に加湿風量が大幅に増加することになる。よって風量調整ダンパーの開閉操作により、加湿機能を使わない大風量での空気清浄運転と、加湿風量を充分に確保できる加湿機能を主体とした空気清浄運転とを使い分けることができるという作用を有する。
【００３７】
また、逆流防止板の先端部を延設して、加湿フィルタの表面に近接させてなるものであり、逆流防止板を加湿フィルタ表面に接近させることにより、バイパス風路を通る気流の無駄な広がりを抑え、加湿フィルタに浸入する風速を維持することができるため、加湿フィルタへの通風量を確保することにより加湿量を安定して維持することができ、また加湿フィルタに近接して逆流防止板があるため、バイパス風路を通る気流と加湿フィルタを通過した加湿風路の気流とが、加湿フィルタに侵入する直前まで混合しないようにして乱流の発生を防ぎ、加圧されたバイパス風路を通る気流と吸引される加湿風路の気流を、それぞれ加湿フィルタにスムーズに進入させることができるという作用を有する。
【００３８】
また、加湿フィルタは円筒形状のフィルタ部と、このフィルタ部の内側で水平軸を中心に回転可能に支持するフィルタ枠と、このフィルタ枠の両端に設けた円板部を有し、この円板部の直径を前記フィルタ部の円筒外径より寸法大とするとともに、前記円板部の周縁には内側に突出するリーク防止リブを形成したものであり、フィルタ枠の両端に設けた円板部の直径をフィルタ部の円筒外径より寸法大として、さらに円板部の周縁には内側に突出するリーク防止リブを形成することにより、円板部だけでなくフィルタ枠全体の強度を保ち、フィルタ部が変形しないように保持することができ、またフィルタ部は円筒形状に加工したとき、中央部分に比べて端部は変形しやすく、フィルタ枠の両端付近で隙間が生じやすいが、円板部の周縁にリーク防止リブを設けることにより、フィルタ部の端面が浮き上がらないように押さえることができ、またフィルタ部の端部からのエアリークを未然に防ぐことができるので、フィルタ部の通風量を確保して、加湿機能を長期間安定して発揮させることができるという作用を有する。
【００３９】
また、下吐出口に設けた風量調整ダンパーは、前記下吐出口を横断して回動可能に設けた水平軸と、この水平軸を回動する小型モータと、この水平軸に固定された平板部からなり、前記小型モータは前記平板部を水平方向に回動して保持することにより前記下吐出口を閉鎖するとともに、前記平板部を垂直方向に回動して保持することにより前記下吐出口を開放してなるものであり、バイパス風路に設けた風量調整ダンパーの平板部を、水平軸を中心に小型モータにより水平方向に回動して保持したときは、開口部分が水平方向にある下吐出口に重なるように閉鎖することができ、両吸込送風機のケーシングの一部を形成する位置に収まるので、空気清浄運転時の送風効率を損なうことなく運転することができるとともに、風量調整ダンパーの平板部を、水平軸を中心に小型モータにより垂直方向に回動して保持したときは、下吐出口を全開してフィルタ部に直接的に空気流を吹き出すことができ、加湿運転時に加湿機能を高めて運転することができるものであり、さらに平板部を回動する小型モータの水平軸を延長または継手を用いることにより、小型モータをバイパス風路または加湿風路の外部に設置することができ、風路の圧力損失を低減し、小型モータの品質を維持することができるという作用を有する。
【００４０】
また、バイパス風路の壁面に風量調整ダンパーの平板部を収納するダンパー収納部を設け、前記平板部を垂直状態にして前記ダンパー収納部に収納するとき、前記ダンパー収納部に設けた段部に前記平板部の一端が当接してなるものであり、風量調整ダンパーを垂直に回動するときは、バイパス風路の壁面に設けたダンパー収納部に平板部が収納されることにより、平板部がバイパス風路の壁面の一部を形成することとなり、さらにダンパー収納部に設けた段部に前記平板部の一端が当接して、バイパス風路の壁面を略同一面とすることができるので、水平方向に開口する下吐出口からの気流を、フィルタ部に抵抗なく円滑に案内することができ、加湿機能を充分に発揮させることができるという作用を有する。
【００４１】
また、風量調整ダンパーの平板部の一端に設けた折曲リブと、他端に設けた当接端部と、ダンパー収納部に設けた段部を有し、前記平板部を水平方向に保持するときは前記折曲リブを前記ダンパー収納部の段部に当接し、前記平板部を垂直方向に保持するときは前記当接端部を前記ダンパー収納部の段部に当接してなるものであり、平板部を水平方向に保持するときは、平板部の折曲リブがダンパー収納部の段部に当接して停止することにより、風量調整ダンパーの水平方向の位置決めを正確に行ない、また平板部を垂直方向に保持するときは、平板部の当接端部がダンパー収納部の段部に当接して停止することにより、風量調整ダンパーの垂直方向の位置決めを正確に行ない、平板部の寸法バラツキによる隙間を低減して、エアリークの発生を防ぐことができるという作用を有する。
【００４２】
また、加湿フィルタの上流側と下流側を仕切る仕切板に補助開口部を設け、この補助開口部を通過する補助空気清浄風路を設け、この補助空気清浄風路は吸込口から空気清浄フィルタ、前記補助開口部、両吸込送風機の第２の吸気口、上吐出口および吹出口の順に通過する風路となし、空気清浄運転時のみ使用可能としたものであり、空気清浄フィルタを通過したあと、加湿フィルタを通過せずに両吸込送風機の第２の吸気口から吹出口に連通する補助空気清浄風路を設け、空気清浄運転時のみ使用可能とすることにより、空気清浄運転時の風量を増やすことができ、加湿機能を本体内に備えていても、適用面積の大きな本格的な空気清浄機として使用することができるとともに、加湿運転を選択したときは、補助空気清浄風路の大部分を加湿風路に切り替えて使用することにより、両吸込送風機の送風機能を無駄なく利用することができるという作用を有する。
【００４３】
また、空気清浄運転時には補助開口部を開放し、加湿運転時には前記補助開口部を閉鎖する補助ダンパーを設けてなるものであり、空気清浄運転時には補助ダンパーが補助開口部を開放することにより、空気清浄フィルタを通過した清浄空気を、両吸込送風機の第１吸気口を通る空気清浄風路と、第２の吸気口を通る補助空気清浄風路を通して大量に吹き出すことができるので、空気清浄運転時の風量を増やすことができ、また補助ダンパーが加湿運転時には補助開口部を閉鎖することにより、補助空気清浄風路の大部分は加湿フィルターと第２の吸気口を通る加湿風路に切り換わり、加湿機能を備えた空気清浄運転ができるという作用を有する。
【００４４】
また、風量調整ダンパーの平板部を回動可能に付設した水平軸に、補助ダンパーに設けた補助平板部を、併設してなるものであり、空気清浄運転時には、風量調整ダンパーの平板部が下吐出口を閉じるとともに、補助ダンパーが補助開口部を開放することにより、空気清浄フィルタを通過した清浄空気を大量に吹き出すことができるので、空気清浄運転時の風量を増やすことができ、また加湿運転時には、風量調整ダンパーの平板部が下吐出口を開くとともに、補助ダンパーが補助開口部を閉鎖することにより、下吐出口から出た気流を加湿風路に流入させることができ、小型モータの回動制御により、簡単に空気清浄運転と加湿運転を切り替えることができるという作用を有する。
【００４５】
以下、本発明の実施の形態について、図面を参照しながら説明する。
【００４６】
（実施の形態１）
図１〜図６に示すように、本体１の側面に設けた吸込口１ａと、本体１の天面に設けた吹出口１ｂと、吸込口１ａと吹出口１ｂに連通する空気清浄フィルタ５を備えた空気清浄風路３と、この空気清浄風路３とは別風路で、かつ吸込口１ａと吹出口１ｂに連通する加湿フィルタ６を備えた加湿風路４と、空気清浄風路３と加湿風路４を接続するバイパス風路７と、空気清浄風路３、加湿風路４およびバイパス風路７に送風する両吸込送風機８を有し、この両吸込送風機８は吸気側に第１吸気口９と第２吸気口１０を備えるとともに吐出側に下吐出口１１と上吐出口１２を備え、空気清浄風路３は吸込口１ａから空気清浄フィルタ５、両吸込送風機８の第１吸気口９、上吐出口１２および吹出口１ｂの順に通過する風路となし、加湿風路４は吸込口１ａから空気清浄フィルタ５、加湿フィルタ６、両吸込送風機８の第２吸気口１０、下吐出口１１および吹出口１ｂの順に通過する風路となし、バイパス風路７は両吸込送風機８の下吐出口１１から加湿風路４の加湿フィルタ６の上流側に接続している。
【００４７】
また、両吸込送風機８に設けた上吐出口１２と下吐出口１１を、送風ファンの中心に対して略対象位置に配置するとともに、加湿フィルタ６に面する下吐出口１１の開口面を略水平に設けている。
【００４８】
また、バイパス風路７の下吐出口１１に風量調整ダンパー１３を設け、加湿風路４への通風量を調整可能としている。
【００４９】
また、加湿フィルタ６の上流側に沿うように逆流防止板１４をバイパス風路７と一体に形成し、バイパス風路７からの気流が逆流防止板１４に沿うように回り込んで加湿フィルタ６に案内されるものである。
【００５０】
また、逆流防止板１４の先端部を延設して、加湿フィルタ６の表面に近接させている。
【００５１】
また、加湿フィルタ６は円筒形状のフィルタ部６ａと、このフィルタ部６ａの内側で水平軸を中心に回転可能に支持するフィルタ枠６ｂと、このフィルタ枠６ｂの両端に設けた円板部６ｃを有し、この円板部６ｃの直径をフィルタ部６ａの円筒外径より寸法大とするとともに、円板部６ｃの周縁には内側に突出するリーク防止リブ６ｄを形成する構成としている。
【００５２】
上記構成により、本体１の側面に設けた吸込口１ａより吸い込まれた空気は本体１内で空気清浄風路３と加湿風路４に分離され、空気清浄風路３を通るものは、空気清浄フィルタ５に浄化されたあと、両吸込型遠心送風機８の第１吸気口９から吸気されて上吐出口１２より吐出され、本体１天面の吹出口１ｂより清浄空気として室内に吹き出される。また加湿風路４を通るものは、空気清浄フィルタ５に浄化されたあと加湿フィルタ６を通過し、両吸込型遠心送風機８の第２吸気口１０より吸引され、吹出口１ｂより浄化された加湿気流として室内に吹き出される。しかし、加湿風路４には加湿フィルタ６の通風抵抗が大きいため、送風量は少なくなるものであるが、空気清浄風路３の両吸込送風機８の下吐出口１１から加湿風路４の加湿フィルタ６の上流側に接続するバイパス風路７を介して、空気清浄風路３の風量を加湿風路４に一部供給することにより、加湿用の送風量を確保できるので大容量の加湿運転を行なうことができ、空気清浄機能と加湿機能を充分に発揮することができる。
【００５３】
また、両吸込送風機８に設けた上吐出口１２と下吐出口１１を略対象位置に設けることにより、上吐出口１２および下吐出口１１から送風するときは、送風による反作用を相殺することができ、送風ファンに加わるベクトル方向の反動力の影響を少なく抑え、気流の乱れも少なくなるので騒音や振動の発生を防ぎ、安定した運転ができるとともに、加湿フィルタ６に面する下吐出口１１の開口面を略水平に設けているので、加湿フィルタ６までの空間距離を一定に保つことができ、下吐出口１１からの吹き出し気流が、加湿フィルタ６の表面全体に満遍なく吹き付けられるので、加湿フィルタ６を通過する有効面積を大幅に確保することができ、加湿効率を向上させることができる。
【００５４】
また、バイパス風路７に配置した風量調整ダンパー１３により、全体の総風量と加湿量の調整が可能となるものであり、風量調整ダンパー１３を閉じたときは、加湿フィルタ６を通過する風が減少して加湿量は下がるが、内部の通風抵抗は少なくなり、吹出口１ｂから吹き出される総風量は増加するため、空気清浄機能は向上する。それに対して風量調整ダンパー１３を開いたときは、加湿フィルタ６を通過する風量が多くなり、加湿量は増加するが、内部の通風抵抗も増加するため、全体の送風量は少なくなり、全送風量に対して相対的に加湿風量が大幅に増加することになる。よって風量調整ダンパー１３の開閉操作により、加湿機能を使わない大風量での空気清浄運転と、加湿風量を充分に確保できる加湿機能を主体とした空気清浄運転とを使い分けることができる。
【００５５】
また、両吸込送風機８に設けた下吐出口１１から吐出されるバイパス風路７を通る気流は、加湿フィルタ６の上流側に加圧されて供給されるため、加湿風路４を逆流するように空気清浄フィルタ５から吸込口１ａへと吹き出す可能性があるが、加湿フィルタ６の上流側に沿うように逆流防止板１４をバイパス風路７から一体的に湾曲して設けることにより、前述のバイパス風路７を通る気流は、逆流防止板１４により加湿フィルタ６の表面に沿うように案内されて、最終的に加湿風路４と合流して加湿フィルタ６を通過する方向に流れることになり、逆流防止板１４によりバイパス風路７の逆流を防いで、加湿フィルタ６に確実に導入することができる。
【００５６】
また、逆流防止板１４を加湿フィルタ６の表面に接近させることにより、バイパス風路７を通る気流の無駄な広がりを抑え、加湿フィルタ６に浸入する風速を維持することができるため、加湿フィルタ６への通風量を確保することにより加湿量を安定して維持することができ、また加湿フィルタ６に近接して逆流防止板１４があるため、バイパス風路７を通る気流と加湿フィルタ６を通過した加湿風路４の気流とが、加湿フィルタ６に侵入する直前まで混合しないようにして乱流の発生を防ぎ、加圧されたバイパス風路７を通る気流と吸引される加湿風路４の気流を、それぞれ加湿フィルタ６にスムーズに進入させることができる。
【００５７】
また、フィルタ枠６ｂの両端に設けた円板部６ｃの直径をフィルタ部６ａの円筒外径より寸法大として、さらに円板部６ｃの周縁には内側に突出するリーク防止リブ６ｄを形成することにより、円板部６ｃだけでなくフィルタ枠全体の強度を保ち、フィルタ部６ａが変形しないように保持することができる。また、フィルタ部６ａは円筒形状に加工したとき、中央部分に比べて端部は変形しやすく、フィルタ枠６ｂの両端付近で隙間が生じやすいが、円板部６ｃの周縁にリーク防止リブ６ｄを設けることにより、フィルタ部６ａの端面が浮き上がらないように押さえることができる。また、フィルタ部６ａの端部からのエアリークを未然に防ぐことができるので、フィルタ部６ａの通風量を確保して、加湿機能を長期間安定して発揮させることができるものである。
【００５８】
（実施の形態２）
図４、図６および図７に示すように、下吐出口１１に設けた風量調整ダンパー１３は、下吐出口１１を横断して回動可能に設けた水平軸１５と、この水平軸１５を回動する小型モータ１６と、この水平軸１５に固定された平板部１８からなり、小型モータ１６は平板部１８を水平方向に回動して保持することにより下吐出口１１を閉鎖するとともに、平板部１８を垂直方向に回動して保持することにより下吐出口１１を開放するものである。
【００５９】
また、バイパス風路７の壁面に風量調整ダンパー１３の平板部１８を収納するダンパー収納部１７を設け、平板部１８を垂直状態にしてダンパー収納部１７に収納するとき、ダンパー収納部１７に設けた段部２１に平板部１８の一端が当接するようにしている。
【００６０】
また、風量調整ダンパー１３の平板部１８の一端に設けた折り曲げリブ１９と、他端に設けた当接端部２０と、ダンパー収納部１７に設けた段部２１を有し、平板部１８を水平方向に保持するときは折り曲げリブ１９をダンパー収納部１７の段部２１に当接し、平板部１８を垂直方向に保持するときは当接端部２０をダンパー収納部１７の段部２１に当接する構成としている。
【００６１】
上記構成により、バイパス風路７に設けた風量調整ダンパー１３の平板部１８を、水平軸１５を中心に小型モータ１６により水平方向に回動して保持したときは、開口部分が水平方向にある下吐出口１１に重なるように閉鎖することができ、両吸込送風機８のケーシングの一部を形成する位置に収まるので、空気清浄運転時の送風効率を損なうことなく運転することができる。また、風量調整ダンパー１３の平板部１８を、水平軸１５を中心に小型モータ１６により垂直方向に回動して保持したときは、下吐出口１１を全開してフィルタ部６ａに直接的に空気流を吹き出すことができ、加湿運転時に加湿機能を高めて運転することができる。また、平板部１８を回動する小型モータ１６の水平軸１５を延長または継手を用いることにより、小型モータ１６をバイパス風路７または加湿風路４の外部に設置することができ、風路の圧力損失を低減し、小型モータ１６の品質を維持することができる。
【００６２】
また、風量調整ダンパー１３を垂直に回動するときは、バイパス風路７の壁面に設けたダンパー収納部１７に平板部１８が収納されることにより、平板部１８がバイパス風路７の壁面の一部を形成することとなり、さらにダンパー収納部１７に設けた段部２１に平板部１８の一端が当接して、バイパス風路の壁面を略同一面とすることができるので、水平方向に開口する下吐出口１１からの気流を、フィルタ部６ａに抵抗なく円滑に案内することができ、加湿機能を充分に発揮させることができる。
【００６３】
また、平板部１８を水平方向に保持するときは、平板部１８の折り曲げリブ１９がダンパー収納部１７の段部２１に当接して停止することにより、風量調整ダンパー１３の水平方向の位置決めを正確に行ない、また平板部１８を垂直方向に保持するときは、平板部１８の当接端部２０がダンパー収納部１７の段部２１に当接して停止することにより、風量調整ダンパー１３の垂直方向の位置決めを正確に行ない、平板部１８の寸法バラツキによる隙間を低減して、エアリークの発生を防ぐことができるものである。
【００６４】
（実施の形態３）
図８に示すように、加湿フィルタ６の上流側と下流側を仕切る仕切り板２２に補助開口部２３を設け、この補助開口部２３を通過する補助空気清浄風路２４を設け、この補助空気清浄風路２４は吸込口１ａから空気清浄フィルタ５、補助開口部２３、両吸込送風機８の第２吸気口１０、上吐出口１２および吹出口１ｂの順に通過する風路となし、空気清浄運転時のみ使用可能としている。
【００６５】
また、空気清浄運転時には補助開口部２３を開放し、加湿運転時には補助開口部２３を閉鎖する補助ダンパー２５を設けている。
【００６６】
また、風量調整ダンパー１３の平板部１８を回動可能に付設した水平軸１５に、補助ダンパー２５に設けた補助平板部２６を、併設してなる構成としている。
【００６７】
上記構成により、空気清浄フィルタ５を通過したあと、加湿フィルタ６を通過せずに両吸込送風機８の第２吸気口１０から吹出口１ｂに連通する補助空気清浄風路２４を設け、空気清浄運転時のみ使用可能とすることにより、空気清浄運転時の風量を増やすことができ、加湿機能を本体１内に備えていても、適用面積の大きな本格的な空気清浄機として使用することができるとともに、加湿運転を選択したときは、補助空気清浄風路２４の大部分を加湿風路に切り替えて使用することにより、両吸込送風機８の送風機能を無駄なく利用することができる。
【００６８】
また、空気清浄運転時には補助ダンパー２５が補助開口部２３を開放することにより、空気清浄フィルタ５を通過した清浄空気を、両吸込送風機８の第１吸気口９を通る空気清浄風路と、第２吸気口１０を通る補助空気清浄風路２４を通して大量に吹き出すことができるので、空気清浄運転時の風量を増やすことができ、また補助ダンパー２５が加湿運転時には補助開口部２３を閉鎖することにより、補助空気清浄風路２４の大部分は加湿フィルタ６と第２吸気口１０を通る加湿風路に切り換わり、加湿機能を備えた空気清浄運転ができる。
【００６９】
また、空気清浄運転時には、風量調整ダンパー１３の平板部１８が下吐出口１１を閉じるとともに、補助ダンパー２５が補助開口部２３を開放することにより、空気清浄フィルタ５を通過した清浄空気を大量に吹き出すことができるので、空気清浄運転時の風量を増やすことができ、また、加湿運転時には、風量調整ダンパー１３の平板部１８が下吐出口１１を開くとともに、補助ダンパー２５が補助開口部２３を閉鎖することにより、下吐出口１１から出た気流を加湿風路４に流入させることができ、小型モータ１６の回動制御により、簡単に空気清浄運転と加湿運転を切り替えることができるものである。
【図面の簡単な説明】
【００７０】
【図１】本発明の実施の形態１の空気調和装置の外観斜視図
【図２】同空清風路と加湿風路を示す概略断面図
【図３】同前面パネルと空気清浄フィルタを外したときの本体正面図
【図４】本発明の実施の形態１および２の風量調整ダンパーを開き、補助開口部を閉じた状態を説明する背面透視図
【図５】（ａ）本発明の実施の形態１の加湿フィルタの構成を示す外観斜視図、（ｂ）同加湿フィルタの内部を示す平面断面図
【図６】本発明の実施の形態２の風量調整ダンパーを閉じ、補助開口部を開いた状態を説明する背面透視図
【図７】（ａ）同風量調整ダンパー開いたときの状態を示す要部断面図、（ｂ）同風量調整ダンパー閉じたときの状態を示す要部断面図
【図８】（ａ）本発明の実施の形態３の同補助ダンパーを開いたときの状態を示す背面透視図、（ｂ）同補助ダンパーを閉じたときの状態を示す背面透視図
【図９】従来の加湿空気清浄機の側面断面図
【図１０】同正面断面図
【符号の説明】
【００７１】
１    本体
１ａ  吸込口
１ｂ  吹出口
３    空気清浄風路
４    加湿風路
５    空気清浄フィルタ
６    加湿フィルタ
６ａ  円筒形状のフィルタ部
６ｂ  フィルタ枠
６ｃ  円板部
６ｄ  リーク防止リブ
７    バイパス風路
８    両吸込送風機
９    第１吸気口
１０  第２吸気口
１１  下吐出口
１２  上吐出口
１３  風量調整ダンパー
１４  逆流防止板
１５  水平軸
１６  小型モータ
１７  ダンパー収納部
１８  平板部
１９  折り曲げリブ
２０  当接端部
２１  段部
２２  仕切り板
２３  補助開口部
２４  補助空気清浄風路
２５  補助ダンパー
２６  補助平板部
【図１】
0005163236.tif 000002
【図２】
0005163236.tif 000003
【図３】
0005163236.tif 000004
【図４】
0005163236.tif 000005
【図５】
0005163236.tif 000006
【図６】
0005163236.tif 000007
【図７】
0005163236.tif 000008
【図８】
0005163236.tif 000009
【図９】
0005163236.tif 000010
【図１０】
0005163236.tif 000011